(57)【要約】【課題】改装サッシの新設上枠、新設縦枠の室内側部に上カバー材、縦カバー材を簡単に取り付けできると共に、強風等で上カバー材、縦カバー材が外れることがないようにする。【解決手段】新設上枠３０、新設縦枠３２の室内側部に上カバー材５、縦カバー材７を、係合受部３０ａ，３２ａと係合部５ａ，７ａを係合することで簡単に取り付けできるようにし、その上カバー材５に取り付けた上横気密材６のヒレ部６ｂを既設上枠２０の室内側面２０ａに接すると共に、縦カバー材７に取り付けた縦気密材８のヒレ部８ｂを既設縦枠２２の室内側面２２ａに接し、そのヒレ部６ｂ，８ｂが弾性変形することで上カバー材５、縦カバー材６が新設上枠３０、新設縦枠３２とともに室外側に動き、強風等で上カバー材５、縦カバー材７が外れないようにする。【選択図】図１
2011179181.tif 000002
【特許請求の範囲】
【請求項１】
建物の開口部に残存し、既設上枠と既設下枠と左右の既設縦枠を有した既設サッシ枠と、
前記既設サッシ枠内に取り付けられ、新設上枠と新設下枠と左右の新設縦枠を有した新設サッシ枠と、
前記新設上枠の室内側部に取り付けた上カバー材と、この上カバー材に取り付けた上横気密材と、
前記新設縦枠の室内側部に取り付けた縦カバー材と、この縦カバー材に取り付けた縦気密材を備え、
前記上横気密材を既設上枠の室内側寄りの室内側面に接し、
前記縦気密材を既設縦枠の室内側寄りの室内側面に接した改修サッシであって、
前記新設上枠の室内側部は、室内側に向かう係合受部を有し、前記上カバー材は室外側に向かい前記係合受部と係合する係合部を有し、この係合部を前記係合受部に係合することで、当該上カバー材を新設上枠の室内側部に取り付け、
前記新設縦枠の室内側部は、室内側に向かう係合受部を有し、前記縦カバー材は室外側に向かい前記係合受部と係合する係合部を有し、この係合部を前記係合受部に係合することで、当該縦カバー材を新設縦枠の室内側部に取り付け、
前記上横気密材および縦気密材は、取付部とヒレ部を有し、そのヒレ部が既設上枠および既設縦枠の室内側面に接していることを特徴とする改修サッシ。
【請求項２】
前記上横気密材および縦気密材のヒレ部は軟質の材料から形成されている請求項１記載の改修サッシ。
【請求項３】
前記上横気密材および縦気密材は、そのヒレ部の基端部が取付部に設けられ、かつ先端部は取付部と離隔し、
前記ヒレ部が既設上枠および既設縦枠の室内側面に接した状態で、前記ヒレ部の先端部は上カバー材および縦カバー材よりも面外方向の室外側寄りに位置し、ヒレ部の先端部と上カバー材および縦カバー材の間には面外方向の隙間がある請求項１記載の改修サッシ。
【請求項４】
前記上横気密材は、既設上枠の室内側面に接する第１ヒレ部と、既設上枠の室内側面よりも室内側寄りの建物取付面に接する第２ヒレ部を有し、
前記縦気密材は、既設縦枠の室内側面に接する第１ヒレ部と、既設縦枠の室内側面よりも室内側寄りの建物取付面に接する第２ヒレ部を有する請求項１記載の改修サッシ。
【請求項５】
前記上カバー材は、本体の面内方向下方寄りに係合部を有すると共に、前記本体の面内方向上方寄りに被取付部を有し、
この被取付部に、上横気密材の取付部を取り付けて第１ヒレ部が室外側に向かうと共に、第２ヒレ部が上向きとなるようにし、
前記縦カバー材は、本体の面内方向内側寄りに係合部を有すると共に、前記本体の面内方向外側寄りに被取付部を有し、
この被取付部に、縦気密材の取付部を取り付けて第１ヒレ部が室外側に向かうと共に、第２ヒレ部が面内方向外側に向かうようにした請求項４記載の改修サッシ。
【請求項６】
前記新設上枠の係合受部、新設縦枠の係合受部は、各室内側に面内方向に離隔して室内側に向けて設けた第１係合受片と第２係合受片を有し、
前記上カバー材、縦カバー材の係合部は、面内方向に離隔した第１係合片と第２係合片を有し、
この第１係合片と第２係合片との間に前記第１係合受片と第２係合受片が入り込んで相互に係合し、かつ第１係合片と第２係合片の先端面が前記新設上枠および新設縦枠の室内側面に接して第１係合受片と第２係合受片を隠蔽している請求項１又は２又は３又は４又は５記載の改修サッシ。
【発明の詳細な説明】
【技術分野】
【０００１】
本発明は、建物の開口部に残存した既設サッシ枠内に、新設サッシ枠を取り付け、既設サッシを新設サッシに改修した改修サッシに関する。
【背景技術】
【０００２】
従来、既設サッシを新設サッシに改修した改修サッシとしては、建物開口部に既設サッシ枠を残存させ、この既設サッシ枠内に新設サッシ枠を取り付けた改修サッシが知られている。
前述した改修サッシにおいては、既設サッシ枠内に新設サッシ枠を取り付ける作業を容易とする等のために、既設サッシ枠の内周面と新設サッシ枠の外周面との間に隙間があるので、カバー材を取り付けて隙間を閉塞することがある。
【０００３】
例えば、特許文献１に開示した改修サッシのように、既設サッシ枠の既設上枠、既設縦枠の内側面と新設サッシ枠の新設上枠、新設縦枠の外側面との間に、室内側に開口した隙間を形成し、新設上枠、新設縦枠の室内側面にカバー材をそれぞれ取り付け、この各カバー材に装着した気密材を既設上枠、既設縦枠の室内側面にそれぞれ接して前述の隙間を閉塞している。
【先行技術文献】
【特許文献】
【０００４】
【特許文献１】実公昭６１−４０８７０号公報
【発明の概要】
【発明が解決しようとする課題】
【０００５】
前述した従来の既設サッシにあっては、新設上枠、新設縦枠の室内側面に係合受部を設け、カバー材に係合部を設け、その係合部を係合受部に係合することでカバー材を取り付けているので、そのカバー材を簡単に取り付けできる。
しかし、強風等で新設サッシに負圧が作用して室外側に引張られたときに、カバー材が気密材を介して既設上枠、既設縦枠の室内側面に接して支持されて室外側に動かないので、前述の係合受部と係合部が外れ、カバー材が新設上枠、新設縦枠から外れることがある。
このことを解消するには、カバー材を新設上枠、新設縦枠にビス等の固着具で固着して取り付けることが考えられるが、このようにするとカバー材の取り付け作業が面倒となってしまう。
【０００６】
本発明の目的は、カバー材を簡単に取り付けできると共に、強風等によってカバー材が外れることがないようにした改修サッシとすることである。
【課題を解決するための手段】
【０００７】
本発明は、建物の開口部に残存し、既設上枠と既設下枠と左右の既設縦枠を有した既設サッシ枠と、
前記既設サッシ枠内に取り付けられ、新設上枠と新設下枠と左右の新設縦枠を有した新設サッシ枠と、
前記新設上枠の室内側部に取り付けた上カバー材と、この上カバー材に取り付けた上横気密材と、
前記新設縦枠の室内側部に取り付けた縦カバー材と、この縦カバー材に取り付けた縦気密材を備え、
前記上横気密材を既設上枠の室内側寄りの室内側面に接し、
前記縦気密材を既設縦枠の室内側寄りの室内側面に接した改修サッシであって、
前記新設上枠の室内側部は、室内側に向かう係合受部を有し、前記上カバー材は室外側に向かい前記係合受部と係合する係合部を有し、この係合部を前記係合受部に係合することで、当該上カバー材を新設上枠の室内側部に取り付け、
前記新設縦枠の室内側部は、室内側に向かう係合受部を有し、前記縦カバー材は室外側に向かい前記係合受部と係合する係合部を有し、この係合部を前記係合受部に係合することで、当該縦カバー材を新設縦枠の室内側部に取り付け、
前記上横気密材、縦気密材は、取付部とヒレ部を有し、そのヒレ部が既設上枠、既設縦枠の室内側面に接していることを特徴とする改修サッシである。
【０００８】
本発明においては、前記上横気密材および縦気密材のヒレ部は軟質の材料から形成されているようにできる。
このようにすれば、新設サッシ枠が室外側に引張られたときに、上横気密材、縦気密材のヒレ部がそれぞれ弾性変形するので、上カバー材、縦カバー材が新設上枠、新設縦枠から外れることがない。
【０００９】
本発明においては、前記上横気密材および縦気密材は、そのヒレ部の基端部が取付部に設けられ、かつ先端部は取付部と離隔し、
前記ヒレ部が既設上枠および既設縦枠の室内側面に接した状態で、前記ヒレ部の先端部は上カバー材および縦カバー材よりも面外方向の室外側寄りに位置し、ヒレ部の先端部と上カバー材および縦カバー材の間には面外方向の隙間があるようにできる。
このようにすれば、新設サッシ枠が室外側に引張られたときに、上横気密材、縦気密材のヒレ部がそれぞれ弾性変形するので、上カバー材、縦カバー材が新設上枠、新設縦枠から外れることがない。
【００１０】
本発明においては、前記上横気密材は、既設上枠の室内側面に接する第１ヒレ部と、既設上枠の室内側面よりも室内側寄りの建物取付面に接する第２ヒレ部を有し、
前記縦気密材は、既設縦枠の室内側面に接する第１ヒレ部と、既設縦枠の室内側面よりも室内側寄りの建物取付面に接する第２ヒレ部を有するものにできる。
このようにすれば、既設上枠の建物取付面と上カバー材との間の隙間が上横気密材の第２ヒレ部で閉塞され、既設縦枠の建物取付面と縦カバー材との間の隙間が縦気密材の第２ヒレ部で閉塞されるので、内観の見栄えが良い改修サッシである。
【００１１】
本発明においては、前記上カバー材は、本体の面内方向下方寄りに係合部を有すると共に、前記本体の面内方向上方寄りに被取付部を有し、
この被取付部に、上横気密材の取付部を取り付けて第１ヒレ部が室外側に向かうと共に、第２ヒレ部が上向きとなるようにし、
前記縦カバー材は、本体の面内方向内側寄りに係合部を有すると共に、前記本体の面内方向外側寄りに被取付部を有し、
この被取付部に、縦気密材の取付部を取り付けて第１ヒレ部が室外側に向かうと共に、第２ヒレ部が面内方向外側に向かうようにできる。
このようにすれば、上横気密材、縦気密材を上カバー材、縦カバー材に簡単に取り付けできると共に、各第１ヒレ部を既設上枠、既設縦枠の室内側面に確実に接することができるし、各第２ヒレ部を既設上枠、既設縦枠の建物取付面に確実に接することができる。
【００１２】
本発明においては、前記新設上枠の係合受部、新設縦枠の係合受部は、各室内側部に面内方向に離隔して室内側に向けて設けた第１係合受片と第２係合受片を有し、
前記上カバー材、縦カバー材の係合部は、面内方向に離隔した第１係合片と第２係合片を有し、
この第１係合片と第２係合片との間に前記第１係合受片と第２係合受片が入り込んで相互に係合し、かつ第１係合片と第２係合片の先端面が前記新設上枠および新設縦枠の室内側面に接して第１係合受片と第２係合受片を隠蔽するようにできる。
このようにすれば、上カバー材の第１係合片と第２係合片が新設上枠の室内側面と連続し、縦カバー材の第１係合片と第２係合片が新設縦枠の室内側面と連続するので、新設上枠と上カバー材、新設縦枠と縦カバー材がそれぞれ一体的に見え、内観の見栄えが良い。
【発明の効果】
【００１３】
本発明によれば、上カバー材、縦カバー材を、その係合部を新設上枠、新設縦枠の係合受部に係合することで取り付けできるので、新設上枠の室内側部に上カバー材を簡単に取り付けできると共に、新設縦枠の室内側部に縦カバー材を簡単に取り付けできる。
しかも、強風等で新設サッシに負圧が作用し、新設サッシ枠が室外側に引張られたときに、上横気密材、縦気密材のヒレ部がそれぞれ弾性変形して上カバー材、縦カバー材は新設上枠、新設縦枠とともに室外側に動くので、係合受部と係合部が外れることがなく、上カバー材、縦カバー材が新設上枠、新設縦枠から外れることがない。
【図面の簡単な説明】
【００１４】
【図１】本発明の実施の形態を示す改修サッシの縦断面図である。
【図２】本発明の実施の形態を示す改修サッシの横断面図である。
【図３】上カバー材取付部の拡大断面図である。
【図４】縦カバー材取付部の拡大断面図である。
【図５】上横気密材の他の実施の形態を示す断面図である。
【図６】縦気密材の他の実施の形態を示す断面図である。
【発明を実施するための形態】
【００１５】
図１と図２に示すように、建物の開口部１には既設サッシの既設サッシ枠２が残存している。
この既設サッシ枠２は、既設上枠２０と既設下枠２１と左右の既設縦枠２２を備えている。
前記既設サッシ枠２内に新設サッシ枠３を取り付け、その新設サッシ枠３に障子４を装着して新設サッシを形成し、改修サッシとしてある。
前記新設サッシ枠３は、新設上枠３０と新設下枠３１と左右の新設縦枠３２を備えている。
前記既設上枠２０の面内方向の内側の内側面と新設上枠３０の面内方向の外側の外側面は面内方向に離隔し、両者の間には面内方向の隙間がある。
この隙間は面外方向の室内側に開口している。
前記既設縦枠２２の面内方向の内側の内側面と新設縦枠３２の面内方向の外側の外側面は面内方向に離隔し、両者の間には面内方向の隙間がある。
この隙間は面外方向の室内側及び室外側にそれぞれ開口している。
【００１６】
前記新設上枠３０の室内側部には上カバー材５が取り付けてある。
この上カバー材５に設けた上横気密材６が既設上枠２０の室内側面２０ａに接し、前述の既設上枠２０の内側面と新設上枠３０の外側面との間の隙間を閉塞し、室内側から隙間が見えないようにしてある。
前記新設縦枠３２の室内側部には縦カバー材７が取り付けてある。
この縦カバー材７に設けた縦気密材８が既設縦枠２２の室内側面２２ａに接し、前述の既設縦枠２２の内側面と新設縦枠３２の外側面との間の隙間を閉塞し、室内側から隙間が見えないようにしてある。
【００１７】
前記新設上枠３０の室内側部、例えば、室内側面３０ａには室内側に向かう係合受部３０ｂを有し、前記上カバー材５は、室外側に向かい前記係合受部３０ｂに係合する係合部５ａを有し、上カバー材５を室外側に向けて移動して、その係合部５ａを前記係合受部３０ｂに係合することで上カバー材５を新設上枠３０の室内側面３０ａ（室内側部）に取り付けできる。
前記新設縦枠３２の室内側部、例えば、室内側面３２ａには室内側に向かう係合受部３２ｂを有し、前記縦カバー材７は、室外側に向かい前記係合受部３２ｂに係合する係合部７ａを有し、縦カバー材７を室外側に向けて移動して、その係合部７ａを前記係合受部３２ｂに係合することで縦カバー材７を新設縦枠３２の室内側面３２ａ（室内側部）に取り付けできる。
【００１８】
このようであるから、上カバー材５、縦カバー材７を新設上枠３０、新設縦枠３２の室外側面３０ａ，３２ａ（室外側部）に簡単に取り付けできる。
【００１９】
前記上横気密材６は、図３に示すように、取付部６ａとヒレ部６ｂを有し、その取付部６ａを上カバー材５の被取付部５ｂに取り付けることで、前記ヒレ部６ｂが室外側に向かい、そのヒレ部６ｂが既設上枠２０の室内側面２０ａに接する。
前記縦気密材８は、図４に示すように、取付部８ａとヒレ部８ｂを有し、その取付部８ａを縦カバー材７の被取付部７ｂに取り付けることで、前記ヒレ部８ｂが室外側に向かい、そのヒレ部８ｂが既設縦枠２２の室内側面２２ａに接する。
【００２０】
このように、上横気密材６、縦気密材８のヒレ部６ｂ，８ｂが既設上枠２０、既設縦枠２２の室内側面２０ａ，２２ａに接している状態で、上カバー材５、縦カバー材７に室外側に向かう荷重が作用したときに、その各ヒレ部６ｂ，８ｂが取付部６ａ，８ａに対してスムーズに室内側に弾性変形するので、前述の荷重によって上カバー材５、縦カバー材７が室外側に動くことになる。
したがって、強風によって新設サッシに負圧が作用して室外側に引張られたときに、新設上枠３０、新設縦枠３２とともに上カバー材５、縦カバー材７が室外側に動くので、係合部５ａ，７ａが被係合部３０ｂ，３２ｂから外れることがなく、上カバー材５、縦カバー材７が新設上枠３０、新設縦枠３２から外れることがない。
【００２１】
前記上横気密材６および縦気密材８は、その取付部６ａ，８ａが硬質もしくは半硬質の合成樹脂材料から形成され、ヒレ部６ｂ，８ｂが軟質の合成樹脂材料から形成されている。なお、合成樹脂材料に限らず、ＥＰＤＭなどの材料でも良い。つまり、ヒレ部６ｂ，８ｂが軟質の材料であれば良い。
これによって、ヒレ部６ｂ，８ｂが取付部６ａ，８ａに対して弾性変形し易くなるので、新設サッシに負圧が作用して室外側に引張られたときに、ヒレ部６ｂ，８ｂが直ちに弾性変形して上カバー材５、縦カバー材７が室外側に動くので、上カバー材５、縦カバー材７が新設上枠３０、新設縦枠３２から外れることがない。
【００２２】
しかも、図３、図４に示す前述の上横気密材６および縦気密材８は、そのヒレ部６ｂ，８ｂは面内方向に向かうと共に、そのヒレ部６ｂ，８ｂは面内方向の基端部が取付部６ａ，８ｂと一体に設けられ、面内方向の先端部は取付部６ａ，８ｂと離隔している。
さらに、ヒレ部６ｂ，８ｂが既設上枠２０および既設縦枠２２の室内側面２０ａ，２２ａに接した状態で、そのヒレ部６ｂ，８ｂの先端部は上カバー材５および縦カバー材７よりも面外方向の室外側寄りに位置し、そのヒレ部６ｂ，８ｂの先端部と上カバー材５および縦カバー材７の間には面外方向の隙間がある。
【００２３】
このようであるから、上横気密材６および縦気密材８のヒレ部６ｂ，８ｂが既設上枠２０の室内側面２０ａ、既設縦枠２２の室内側面２２ａに接した状態で、上カバー材５および縦カバー材７に室外側に向かう力が作用すると、ヒレ部６ｂ，８ｂが取付部６ａ，８ａに対して弾性変形し、新設サッシ枠が室外側に引っ張られたときに、上横気密材６および縦気密材８のヒレ部６ｂ，８ｂが弾性変形し、上カバー材５および縦カバー材７が新設上枠３０および新設縦枠３２から外れることがない。
【００２４】
図３と図４に示すように、前記上横気密材６、縦気密材８は、取付部６ａ，８ａと第１ヒレ部６ｂ，８ｂと第２ヒレ部６ｃ，８ｃを有している。
この第１ヒレ部６ｂ，８ｂが前述したヒレ部で、既設上枠２０、既設縦枠２２の室内側面２０ａ，２２ａにそれぞれ接している。
前記第２ヒレ部６ｃ，８ｃが既設上枠２０、既設縦枠２２の室内側面２０ａ，２２ａよりも室内側寄りの建物取付面２０ｂ，２２ｂにそれぞれ接している。
【００２５】
例えば、既設上枠２０は室内側下向片２０ｃと、この室内側下向片２０ｃに設けた室内側に向かう取付横片２０ｄを有し、その室内側下向片２０ｃの室内側の面が前述の室内側面２０ａで、取付横片２０ｄの下面が前述の建物取付面２０ｂである。
前記既設縦枠２２は室内側内向片２２ｃと、この室内側内向片２２ｃに設けた室内側に向かう取付縦片２２ｄを有し、その室内側内向片２２ｃの室内側の面が前述の室内側面２２ａで、取付縦片２２ｄの内側面が前述の建物取付面２２ｂである。
【００２６】
このようであるから、既設上枠２０の建物取付面２０ｂと上カバー材５との間の隙間が上横気密材６の第２ヒレ部６ｃで閉塞されると共に、既設縦枠２２の建物取付面２２ｂと縦カバー材７との間の隙間が縦気密材８の第２ヒレ部８ｃで閉塞されるので、内観の見栄えが良い。
【００２７】
次に、前記上カバー材５の取り付けを詳細に説明する。
図３に示すように、前記新設上枠３０の室内側面３０ａに第１係合受片３３と第２係合受片３４を、面内方向の上下に離隔して室内側に向けて一体に設けてあり、この第１・第２係合受片３３，３４で前述の係合受部３０ｂとしてある。
前記第１係合受片３３が上で、第２係合受片３４が下に位置し、その第１係合受片３３の上面と第２係合受片３４の下面、つまり、相対向した面と反対側の面に、係合受突部３３ａ，３４ａを有している。
前記上カバー材５は、本体５０と、この本体５０の面内方向一端寄り、つまり下方寄りに一体に設けた第１係合片５１、第２係合片５２を有し、その第１係合片５１と第２係合片５２は面内方向の上下に離隔し、第１係合片５１が上で、第２係合片５２が下であると共に、第１係合片５１の下面と第２係合片５２の上面、つまり、相対向した面に、係合突部５１ａ，５２ａを有し、この第１係合片５１と第２係合片５２で前述の係合部５ａとしてある。
前記本体５０の面内方向他端寄り、つまり上方寄りに、室外側に向かう凹条溝５３が形成され、この凹条溝５３が前述の被取付部５ｂである。
【００２８】
そして、第１係合片５１と第２係合片５２との間に、第１係合受片３３と第２係合受片３４が入り込んで係合受突部３３ａ，３４ａと係合突部５１ａ，５２ａが係合して上カバー材５が取り付けられ、第１係合片５１、第１係合片５２の先端面が新設上枠３０の室内側面３０ａに接し、第１係合受片３３と第２係合受片３４を隠蔽している。
【００２９】
このようであるから、上カバー材５の第１・第２係合片５１，５２が新設上枠３０の室内側面３０ａと連続し、その上カバー材５と新設上枠３０が一体的に見え、内観の見栄えが良い。
【００３０】
図４に示すように、前記新設縦枠３２の係合受部３２ｂは新設上枠３０の係合受部３０ｂと同一であるので、符号を同一として説明を省略し、縦カバー材７は上カバー材５と同一形状であるので、符号を同一として説明を省略する。
なお、縦カバー材７の面内方向一端寄りは面内方向の内側寄りで、他端寄りは面内方向の外側寄りである。つまり、上カバー材５を９０度回転したのが縦カバー材７である。
【００３１】
このようであるから、縦カバー材７の第１・第２係合片５１，５２が新設縦枠３２の室内側面３２ａと連続し、その縦カバー材７が新設縦枠３２の室内側面３２ａと連続し、その縦カバー材７と新設縦枠３２が一体的に見え、内観の見栄えが良い。
【００３２】
前記上横気密材６の取付部６ａは、前記本体５０の凹条溝５３に嵌め込まれると共に、本体５０の面内方向の他端面（上端面）に接する形状で、この取付部６ａに第１ヒレ部６ｂの基端部が一体に設けられ、その第１ヒレ部６ｂの先端部は下向きとなっている。
前記取付部６ａに第２ヒレ部６ｃの基端部が一体に設けられ、その第２ヒレ部６ｃの先端部は上向きに設けられている。
前記縦気密材８は前述した上横気密材６と同一断面形状で、その第１ヒレ部８ｂが面内方向の内側に向かうと共に、第２ヒレ部８ｃが面内方向の外側に向かうようにしてある。
【００３３】
前記上横気密材６、縦気密材８は、図５と図６に示すように、取付部６ａ，８ａと１つのヒレ部６ｂ，８ｂを有するものでも良い。
図５と図６に示す上カバー材５、縦カバー材７は、本体５０と第１係合片５１とに亘って凹条溝５３を形成して取付部５ｂ、７ｂとしてある。
【００３４】
次に、新設サッシ枠３の取り付けについて説明する。
図１に示すように、既設上枠２０に下地材１０をビス１１で固着して取り付け、この下地材１０と新設上枠３０の面外方向中間の外側面３０ｃとの間にスペーサ１２を介在し、その新設上枠３０からビス１３を下地材１０に螺合して新設上枠３０を既設上枠２０に取り付ける。
前記新設上枠３０の室外側寄りの上部３０ｄは、前述の面外方向中間の外側面３０ｃよりも面内方向の外側（上側）に突出し、この上部３０ｄを既設上枠２０の室外側面２０ｅに接して面外方向の位置決めをしている。
前記上部３０ｄに気密材１４を装着し、この気密材４を既設上枠２０の室外側面２０ｅに接し、既設上枠２０の室外側部と新設上枠３０の室外側部との間を気密している。
【００３５】
前記既設下枠２１の室内側案内レール２１ａにアタッチメント２１ｂをビス２１ｃで固着して取り付け、このアタッチメント２１ｂに新設下枠３１をビス２１ｄで固着して取り付ける。
この場合に、室外側案内レール２１ｅは切断などによって撤去してある。
【００３６】
前記既設縦枠２２に下地材１５をビス１６で固着して取り付け、この下地材１５に新設縦枠３２の外側面３２ｃをスペーサ１７を介して接し、その新設縦枠３２からビス１８を下地材１５に螺合して新設縦枠３２を既設縦枠２２に取り付ける。
前記新設縦枠３２の外側面３２ｃの室外側寄りに気密材１９が装着され、この気密材１９が既設縦枠２２の室外側面２２ｅに接して、既設縦枠２２の室外側部と新設縦枠３２の室外側部との間を気密している。
なお、新設サッシ枠３の取り付けは前述に限ることはなく、任意の取り付けが可能である。
【符号の説明】
【００３７】
１…建物の開口部、２…既設サッシ枠、３…新設サッシ枠、４…障子、５…上カバー材、５ａ…係合部、５ｂ…被取付部、６…上横気密材、６ａ…取付部、６ｂ…第１ヒレ部、６ｃ…第２ヒレ部、７…縦カバー材、７ａ…係合部、８…縦気密材、８ａ…取付部、８ｂ…第１ヒレ部、８ｃ…第２ヒレ部、２０…既設上枠、２０ａ…室内側面、２０ｂ…建物取付面、２２…既設縦枠、２２ａ…室内側面、２２ｂ…建物取付面、３０…新設上枠、３０ａ…室内側面、３０ｂ…係合受部、３３…第１係合受片、３４…第２係合受片、３２…新設縦枠、３２ａ…室内側面、３２ｂ…係合受部、５０…本体、５１…第１係合片、５２…第２係合片、５３…凹条溝。
【図１】
2011179181.tif 000003
【図２】
2011179181.tif 000004
【図３】
2011179181.tif 000005
【図４】
2011179181.tif 000006
【図５】
2011179181.tif 000007
【図６】
2011179181.tif 000008